(57)【要約】      （修正有）【課題】ライティングダクトに取り付け可能な人感センサを備える照明システムを提供する。【解決手段】照明システム１０は、導体を備えるライティングダクト２０と、ライティングダクト２０に着脱可能に取り付けられる照明装置５０と、ライティングダクト２０に着脱可能に取り付けられる人感センサ４０を備える。人感センサ４０は、人を検知する検知部と、検知部の検知結果に基づいて信号を発信するリモコン発信部と、ライティングダクトに着脱可能な取付部と、ライティングダクトの導体に電気的に接続される端子部と、端子部からの給電により充電される電源充電部を備える。【選択図】図１
2018120752.tif 000002
【特許請求の範囲】
【請求項１】
人を検知する検知部と；
前記検知部の検知結果に基づいて信号を発信する発信部と；
ライティングダクトに着脱可能な取付部と；
を具備する人感センサ。
【請求項２】
前記検知部及び前記発信部に接続されて前記検知部及び前記発信部に電力を供給し、かつ、充電可能な電源充電部を具備し、
前記取付部は、前記ライティングダクトの電力線に電気的に接続される端子を具備し、
前記端子は、前記電源充電部に電気的に接続される
請求項１に記載の人感センサ。
【請求項３】
前記検知部は、赤外線を検知する
請求項１に記載の人感センサ。
【請求項４】
第１の電力線を具備するライティングダクトと；
前記ライティングダクトに着脱可能に取り付けられるとともに取り付けられた状態において前記第１の電力線に電気的に接続される端子を備える第１の取付部を具備する照明装置と；
人を検知する検知部と、前記検知部の検知結果に基づいて信号を発信する発信部と、前記ライティングダクトに着脱可能な第２の取付部と、を具備する人感センサと；
外部電源と前記ライティングダクトの前記第１の電力線とに電気的に接続される第２の電力線と、前記第２の電力線に設けられた開閉部と、前記発信部からの信号を受信可能な受信部と、前記受信部の受信結果に基づいて前記開閉部を制御する制御部と、を具備し、前記ライティングダクトの端部に設けられるフィードインと；
を具備するライティングシステム。
【発明の詳細な説明】
【技術分野】
【０００１】
本発明の実施形態は、人を検知する人感センサと、この人感センサを有する照明システムと、に関する。
【背景技術】
【０００２】
従来、商品等を陳列する棚の近傍に設けた照明装置が知られている。照明装置が商品に光を照射することにより、展示品を見やすくなる。
【０００３】
この種の照明装置として、人感センサを有し、この人感センサにより人を検知すると、光を照射するよう構成された照明装置が知られている。人感センサを有する照明装置により、展示用の棚の近傍に人がいる場合にのみ光を照射することができるので、消費電力を小さくすることができる。
【０００４】
また、天井等の壁部にライティングダクトを設け、このライティングダクトに着脱可能な取付部を有する照明装置も知られている。照明装置は、取付部により、ライティングダクトの任意の位置に設置することができる。ライティングダクトは内部に電流が流れる電力線を有している。取付部にはこの電力線に電気的に接続される端子が設けられている。照明装置は、取付部によりライティングダクトに取り付けられると、端子がライティングダクトの電力線に電気的に接続されることにより、給電され、光を照射可能となる。
【先行技術文献】
【特許文献】
【０００５】
【特許文献１】特開２００５−１８３２０７号公報
【発明の概要】
【発明が解決しようとする課題】
【０００６】
人感センサを有していない照明装置が元々用いられている環境下においても、消費電力を小さくするべく、人感センサを用いることが求められている。しかしながら、人感センサを新たに設置する場合、天井等の壁部に人感センサを取り付ける被取付部を新たに設ける必要があり、手間がかかる。この為、ライティングダクトをこの被取付部として利用できるように、ライティングダクトに取り付け可能な人感センサが求められている。
【０００７】
本発明が解決しようとする課題は、ライティングダクトに取り付け可能な人感センサと、この人感センサを有する照明システムと、を提供することである。
【課題を解決するための手段】
【０００８】
実施形態によれば、人感センサは、人を検知する検知部と；前記検知部の検知結果に基づいて信号を発信する発信部と；ライティングダクトに着脱可能な取付部と；を備える。
【発明の効果】
【０００９】
本発明によれば、ライティングダクトに取り付け可能な人感センサと、この人感システムを有する照明システムと、を提供することが可能となる。
【図面の簡単な説明】
【００１０】
【図１】本発明の第１の実施形態に係る照明システムを示す斜視図。
【図２】同照明システムを示す概略図。
【図３】同照明システムに用いられる人感センサを示す斜視図。
【図４】同人感センサを示す斜視図。
【図５】同照明システムに用いられるライティングダクトと同人感センサとを示す断面図。
【図６】同照明システムを示すブロック図。
【図７】本発明の第２の実施形態に係る照明システムを示す概略図。
【図８】本発明の第３の実施形態に係る照明システムを示す概略図。
【図９】本発明の第３の実施形態の変形例を示す概略図。
【発明を実施するための形態】
【００１１】
人感センサ４０は、人を検知する赤外線検知部４４と；赤外線検知部４４の検知結果に基づいて信号を発信するリモコン発信部４５と；ライティングダクト２０に着脱可能な取付部４２と；を備える。人感センサ４０は、赤外線検知部４４及びリモコン発信部４５に接続されて赤外線検知部４４及びリモコン発信部４５に電力を供給し、かつ、充電可能な電源充電部４３を備え、取付部４２は、ライティングダクト２０の導体２２に電気的に接続される端子４２ｃを備え、端子４２ｃは、電源充電部４３に電気的に接続される。赤外線検知部４４は、赤外線を検知する。照明システム１０Ａは、導体２２を備えるライティングダクト２０と；ライティングダクト２０に着脱可能に取り付けられるとともに取り付けられた状態において導体２２に電気的に接続される端子４２ｃを有する取付部４２を備える照明装置５０と；赤外線を検知する赤外線検知部４４と、赤外線検知部の検知結果に基づいて信号を発信するリモコン発信部４５と、ライティングダクト２０に着脱可能な取付部４２と、を備える人感センサ４０と；外部電源１とライティングダクト２０の導体２２とに電気的に接続される電力線３２と、電力線３２に設けられた開閉部３４と、リモコン発信部４５からの信号を受信可能なリモコン受信部３６と、リモコン受信部３６の受信結果に基づいて開閉部３４を制御する制御部３５と、を備え、ライティングダクト２０の端部に設けられるフィードインボックス３０と；を備える。
【００１２】
一実施形態に係る照明システム１０を、図１乃至図６を用いて説明する。
【００１３】
図１は、照明システム１０を示す斜視図である。図２は、照明システム１０を示す概略図である。図３は、照明システム１０に用いられる人感センサ４０を示す斜視図である。図４は、人感センサ４０を示す斜視図である。図４は、人感センサ４０を、図３とは異なる角度が見た状態を示している。図５は、照明システム１０に用いられるライティングダクト２０と人感センサ４０とを示す断面図である。図５では、ライティングダクト２０は切断された状態が示されており、人感センサ４０はその一部が示されている。図６は、照明システム１０を示すブロック図である。
【００１４】
照明システム１０は、図１に示すように、人を検知すると照明装置５０を点灯することが可能に構成されている。本実施形態では、照明システム１０は、洋服等の商品５が陳列された棚６の近傍に設置されている。
【００１５】
照明システム１０は、図１及び図２に示すように、天井７に固定されたライティングダクト２０と、ライティングダクト２０に隣接して設けられたフィードインボックス３０と、ライティングダクト２０に着脱可能に取り付けられる人感センサ４０と、ライティングダクト２０に着脱可能に取り付けられる照明装置５０と、を有している。
【００１６】
ライティングダクト２０は、図１に示すように、照明システム１０が設置される場所の近傍の壁部に固定されている。本実施形態では、ライティングダクト２０は、一例として、棚６の上方の天井７に固定されている。ライティングダクト２０は、図５に示すように、断面形状が矩形状に形成されたレール本体２１と、レール本体２１内に配置された一対の導体２２と、導体２２を支持する支持部材２３と、を有している。
【００１７】
なお、ライティングダクト２０は、日本工業規格に基づいて形成されている。レール本体２１は、底壁部２４と、一対の側壁部２５と、上壁部２６と、を有している。底壁部２４には、人感センサ４０の取付部４２と照明装置５０の取付部４２とを配置可能な溝２７を有している。溝２７は、ライティングダクト２０の長手方向に延びている。溝２７は、レール本体２１の内部と外部とを連通している。
【００１８】
一方の導体２２は、外部電源１の電圧側に接続されている。他方の導体２２は、外部電源１の接地側に接続されている。この為、人感センサ４０と照明装置５０とは、両導体２２に電気的に接続されることにより、給電される。
【００１９】
支持部材２３は、ライティングダクト２０に沿って延びている。支持部材２３は、絶縁材料から形成されている。支持部材２３は、長手方向に直交する断面が例えば断面Ｔ字形状に形成されている。支持部材２３は、その１つの先端部に、１つの導体２２を固定している。支持部材２３は、残りの２つの端部が、ライティングダクト２０の側壁部２５に固定されている。支持部材２３は、底壁部２４の上面との間に隙間Ｓ１を有している。
【００２０】
フィードインボックス３０は、図１，２，６に示すように、ライティングダクト２０の端部に設けられている。また、フィードインボックス３０は、外部電源１に電気的に接続されており、外部電源１からの電流をライティングダクト２０の導体２２に供給可能に構成されている。また、フィードインボックス３０は、外部電源１からの電流を、ライティングダクト２０の導体２２に接続された照明装置５０等に供給可能な第１の状態と、外部電源１からの電流を、ライティングダクト２０の導体２２に接続された照明装置５０等に供給しない第２の状態と、を切換可能に構成されている。フィードインボックス３０は、例えば、照明システム１０が設置される建物に設けられた電力線に接続される。この電力線が、本実施形態では外部電源１となる。
【００２１】
フィードインボックス３０は、筐体３１と、筐体３１内に収容された一対の電力線３２と、電力線３２に電気的に接続された電源ユニット３３と、少なくとも一方の電力線３２に設けられた開閉部３４と、開閉部３４を制御する制御部３５と、外部からの電波を受信可能なリモコン受信部３６と、を有している。
【００２２】
筐体３１は、例えば直方体状に形成されている。筐体３１の断面の外観形状は、例えば、ライティングダクト２０のレール本体２１の断面の外観形状と同様に形成されている。この為、筐体３１は、レール本体２１とスムーズに連続する。
【００２３】
一方の電力線３２は、外部電源１に電気的に接続され、かつ、ライティングダクト２０の一方の導体２２に電気的に接続されている。他方の電力線３２は、外部電源１に電気的に接続され、かつ、ライティングダクト２０の他方の導体２２に電気的に接続されている。
【００２４】
電源ユニット３３は、両電力線３２に電気的に接続されており、電力が供給される。電源ユニット３３は、制御部３５に給電可能に構成されている。
【００２５】
開閉部３４は、本実施形態では、一方の電力線３２に設けられている。開閉部３４は、開状態と閉状態とを有している。閉状態は、外部電源１とライティングダクト２０の一方の導体２２とを電気的に接続する状態である。すなわち、開閉部３４が閉状態となると、上述の第１の状態となる。開状態とは、外部電源１とライティングダクト２０の一方の導体２２との電気的な接続を遮断する状態である。すなわち、開閉部３４が開状態となると上述の第２の状態となる。なお、電源ユニット３３は、電力線３２において、開閉部３４の開閉状態によらずに常に電力が供給される部分に接続されている。この為、電源ユニット３３は、常に電力が供給される。
【００２６】
制御部３５は、電源ユニット３３に電気的に接続されており、電源ユニット３３から給電されることにより、駆動可能となる。制御部３５は、リモコン受信部３６に電気的に接続されており、リモコン受信部３６の受信結果に基づいて、開閉部３４を駆動する。具体的には、制御部３５は、リモコン受信部３６が、開閉部３４を閉状態とする信号を受信すると、開閉部３４を閉状態とする。また、制御部３５は、リモコン受信部３６が、開閉部３４を開状態とする信号を受信すると、開閉部３４を開状態とする。
【００２７】
リモコン受信部３６は、人感センサ４０のリモコン発信部４５から送信される電波を受信可能に形成されている。リモコン受信部３６は、リモコン発信部４５から受信した信号を制御部３５に送信する。リモコン受信部３６は、図１に示すように、例えばフィードインボックス３０の筐体３１から外側に露出している。
【００２８】
また、リモコン受信部３６は、図示しないリモコンから送信される電波を受信可能に構成されている。このリモコンは、人により操作される。リモコンは、開閉部３４を閉状態とする信号、及び、開閉部３４を開状態とする信号を送信可能である。リモコン受信部３６は、これら、開閉部３４を閉状態とする信号、及び、開閉部３４を開状態とする信号を受信可能に形成されている。これら信号は、例えば電波であり、例えば、赤外線である。
【００２９】
人感センサ４０は、図１乃至図４、及び図６に示すように、筐体４１と、筐体４１をライティングダクト２０に着脱可能に取り付ける取付部４２と、電源充電部４３と、赤外線検知部４４と、リモコン発信部４５と、を有している。
【００３０】
筐体４１は、図３及び図４に示すように、その外観が例えば、側面形状が６角形となる形状に形成されている。筐体４１は、底壁部４６と、一対の第１の側壁部４７ａと、上壁部４８と、一対の第２の側壁部４７ｂと、を有している。第１の側壁部４７ａには、リモコン発信部４５から発振された電波を通すことが可能な孔４９が形成されている。孔４９は、一例として複数形成されている。第２の側壁部４７ｂは、平面視で６角形に形成されている。
【００３１】
取付部４２は、筐体４１の上壁部４８に設けられている。取付部４２は、筐体４１をライティングダクト２０に着脱可能に取り付けるとともに、電源充電部４３をライティングダクト２０の両導体２２に電気的に接続可能に構成されている。
【００３２】
取付部４２は、図３及び図５に示すように、筐体４１の上壁部４８から突出する突出部４２ａと、突出部４２ａの周面から突出部４２ａの突出方向に直交する方向に突出する一対の腕部４２ｂと、一対の端子４２ｃと、を有している。
【００３３】
突出部４２ａは、図５に示すように、ライティングダクト２０の底壁部２４の溝２７内に配置可能に形成されている。両腕部４２ｂは、互いに直線状に並んで配置されている。両腕部４２ｂは、その延びる方向に直交する方向の幅は、溝２７内に配置可能な長さに設定されている。両腕部４２ｂは、図５に示すように、ライティングダクト２０の底壁部２４と支持部材２３との間の隙間Ｓ１に略嵌まる形状に形成されている。両腕部４２ｂが隙間Ｓ１内に嵌まった状態では、人感センサ４０は、ライティングダクト２０に対してぐらつくことなく固定される。
【００３４】
人感センサ４０は、両腕部４２ｂが溝２７を通る姿勢で、取付部４２がライティングダクト２０内に収容される。そして、人感センサ４０は、その上壁部４８がライティングダクト２０の底壁部４６に当接するまで移動されると、その状態から９０度回転される。９０℃回転されることにより、図５に示すように、一方の腕部４２ｂが一方の隙間Ｓ１内に嵌合し、他方の腕部４２ｂが他方の隙間Ｓ１内に嵌合する。この嵌合により、人感センサ４０がライティングダクト２０に固定される。
【００３５】
孔４９が形成された第１の側壁部４７ａは、人感センサ４０がライティングダクト２０に上述のように固定された状態において、フィードインボックス３０側に向く。この為、孔４９も、フィードインボックス３０側に向くこととなる。
【００３６】
両端子４２ｃは、図３に示すように、突出部４２ａの先端部に設けられている。両端子４２ｃは、電源充電部４３に電気的に接続されている。すなわち、両端子４２ｃは、電源充電部４３に電力を供給する経路の一部を構成している。両端子４２ｃは、図３に示すように、両腕部４２ｂの並ぶ方向に平行に並んで配置されている。すなわち、一方の端子４２ｃは、一方の腕部４２ｂに対向配置されており、他方の端子４２ｃは、他方の腕部４２ｂに対向配置されている。
【００３７】
両端子４２ｃは、これら両端子４２ｃが並ぶ方向に直交する方向の幅が、溝２７を通ることが可能な長さに設定されている。この為、上述のように、人感センサ４０の取付部４２をライティングダクト２０内に挿入する際に、両端子４２ｃがこれを阻害することはない。また、両端子４２ｃは、図５に示すように両腕部４２ｂが隙間Ｓ１内に嵌合した状態において、ライティングダクト２０の導体２２に接触可能に形成されている。具体的には、一方の端子４２ｃが一方の導体２２に接触し、かつ、他方の端子４２ｃが他方の導体２２に接触する。この接触により、両端子４２ｃが、導体２２に電気的に接続されることとなる。
【００３８】
電源充電部４３は、両端子４２ｃと電気的に接続されている。電源充電部４３は、両端子４２ｃを介して導体２２から供給される電力を充電可能に構成されている。電源充電部４３は、例えば二次電池である。電源充電部４３は、リモコン発信部４５に接続されており、リモコン発信部４５に電力を供給する。また、電源充電部４３は、赤外線検知部４４に接続されており、赤外線検知部４４に電力を供給する。
【００３９】
赤外線検知部４４は、赤外線を検知可能に構成されている。赤外線検知部４４は、図４に示すように、筐体４１の底壁部４６に形成された孔を通して外部に露出している。赤外線検知部４４は、例えば赤外線検知部４４の下方に位置する人が照射する赤外線を検知可能に構成されている。なお、赤外線検知部４４の検知範囲は、赤外線検知部４４の下方に限定されるものではない。
【００４０】
リモコン発信部４５は、赤外線検知部４４の検知結果に基づいて、開閉部３４を閉状態とする信号を送信する。この信号は、電波である。また、この信号は、例えば赤外線である。
【００４１】
照明装置５０は、ライティングダクト２０に着脱可能に取り付けられる取付部４２を有している。照明装置５０は、取付部４２により、ライティングダクト２０の任意の位置に固定可能であり、かつ、両導体２２から給電される。照明装置５０の取付部４２の端子４２ｃは、照明装置５０の電力が必要な部分に電気的に接続されている。この為、照明装置５０の端子４２ｃが導体２２に電気的に接続され、この導体２２から電量が供給されると、照明装置５０は、光を照射可能となる。
【００４２】
次に、照明システム１０の動作を説明する。図１に示すように、棚６の前に人３が移動し、人３が発する赤外線を赤外線検知部４４が検知すると、リモコン発信部４５は、開閉部３４を閉状態とする信号を送信する。
【００４３】
フィードインボックス３０の制御部３５は、リモコン受信部３６がリモコン発信部４５からの信号を受信すると、開閉部３４を閉状態とする。開閉部３４が閉状態となると、この開閉部３４が設けられた電力線３２に接続される一方の導体２２に電流が流れる。この為、照明装置５０が点灯されるようになる。さらに、人感センサ４０の電源充電部４３に給電されるようになり、電源充電部４３が充電を開始する。
【００４４】
照明装置５０が点灯した後、棚６の前から人が移動し、商品５を観察する人がいなくなると、例えば商品５を管理する人が、リモコンを操作し、フィードインボックス３０に向かって、開閉部３４を開状態とする信号（電波であり、例えば赤外線）を送信する。
【００４５】
フィードインボックス３０の制御部３５は、リモコン受信部３６が、開閉部３４を開状態とする信号を受信すると、開閉部３４を開状態にする。開閉部３４が開状態となることにより、照明装置５０に給電されなくなるので、照明装置５０が照射を停止する。さらに、人感センサ４０の電源充電部４３への給電も停止されるので、電源充電部４３は充電を停止する。
【００４６】
このように構成された照明システム１０では、人感センサ４０が取付部４２を有しているので、人感センサ４０をライティングダクト２０の任意の位置に固定することができる。また、取付部４２が、端子４２ｃを有していることにより、人感センサ４０は、取付部４２を介してライティングダクト２０から電力を得ることが可能となる。
【００４７】
また、フィードインボックス３０が開閉部３４を有することにより、照明装置５０への給電を制御可能となるので、人３がいないときに不要に光を照射することがなくなるので、消費電力を小さくすることができる。
【００４８】
なお、本実施形態では、照明装置５０による照射を停止する為には、リモコンを操作し、開閉部３４を開状態とする信号を送信する必要がある。しかしながら、これに限定されない。他の例では、人感センサ４０のリモコン発信部４５が、開閉部３４を閉状態とする信号送信してから、所定の時間が経過すると、開閉部３４を開状態とする信号を送信するようにしてもよい。フィードインボックス３０のリモコン受信部３６が、リモコン発信部４５が送信した開閉部３４を開状態とする信号を受信すると、制御部３５は、開閉部３４を開状態とする。
【００４９】
このように、リモコン発信部４５が、開閉部３４を閉状態とする信号を発信してから所定時間経過後に、開閉部３４を開状態とする信号を発信する場合では、赤外線検知部４４は、赤外線を検知する度にリモコン発信部４５に信号を送信することが好ましい。この場合、リモコン発信部４５は、赤外線検知部４４が赤外線を検知する度に、開閉部３４を閉状態とする信号を発信する。そして、リモコン発信部４５は、開閉部３４を閉状態とする信号を最後に送信してから所定時間が経過すると、開閉部３４を開状態とする信号を発信する。このようにすることにより、人３が棚６の前にいる間は、照明装置５０が照射を続けるようになる。
【００５０】
または、他の例として、フィードインボックス３０のリモコン受信部３６は、最後に開閉部３４を閉状態とする信号を受信してから所定の時間が経過すると、開閉部３４を開状態とする信号を受信したという信号を制御部３５に送信するようにしてもよい。
【００５１】
これらのように、開閉部３４を、タイマ機能により自動的に開状態とするようにしてもよい。
【００５２】
次に、本発明の第２の実施形態に係る照明システム１０Ａを、図７を用いて説明する。なお、第１の実施形態と同様の機能を有する構成は、第１の実施形態と同一の符号を付して説明省略する。
【００５３】
図７は、照明システム１０Ａを示す概略図である。
【００５４】
照明システム１０Ａは、図７に示すように、天井７に固定された一対のライティングダクト２０と、一方のライティングダクト２０に隣接して設けられたフィードインボックス３０と、他方のライティングダクト２０に隣接して設けられたフィードインボックス３０Ａと、ライティングダクト２０に着脱可能に取り付けられる人感センサ４０と、ライティングダクト２０に着脱可能に取り付けられる照明装置５０と、を有している。
【００５５】
フィードインボックス３０は、ライティングダクト２０に、第１の実施形態と同様に固定されており、かつ、電気的に接続されている。
【００５６】
フィードインボックス３０Ａは、筐体３１と、筐体３１内に収容された一対の電力線３２と、電力線３２と、を有している。フィードインボックス３０Ａの電力線３２は、他方のライティングダクト２０の導体２２に電気的に接続されている。また、両電力線３２は、外部電源１に電気的に接続されている。
【００５７】
人感センサ４０は、フィードインボックス３０Ａが固定される方のライティングダクト２０に、第１の実施形態と同様に取付部４２により取り付けられ、かつ、導体２２に電気的に接続されている。
【００５８】
照明装置５０は、フィードインボックス３０が固定される方のライティングダクト２０に、取付部４２により、第１の実施形態と同様に、取り付けられ、かつ、導体２２に電気的に接続されている。
【００５９】
このように、本実施形態では、照明装置５０が固定されるライティングダクト２０と、人感センサ４０が固定されるライティングダクト２０とは異なる。
【００６０】
本実施形態では、人感センサ４０が固定されるライティングダクト２０には、照明装置５０が設置されないので、フィードインボックス３０Ａには開閉部３４を設ける必要がない。この為、人感センサ４０は、導体２２より常に給電されるので、充電機能が不要となる。
【００６１】
このように、本実施形態の照明システム１０Ａは、第１の実施形態と同様の効果に加えて、人感センサ４０が充電機能が不要となるので、電源充電部４３に変えて、例えば電源ユニット３３と同様にリモコン発信部４５など他の構成に電力を供給する機能のみを有する装置に置き換えることができる。この装置は、充電機能がない分、コストを安くすることができる。
【００６２】
次に、本発明の第３の実施形態に係る照明システム１０Ｂを、図８を用いて説明する。なお、第１の実施形態及び第２の実施形態と同様の機能を有する構成は、第１の実施形態と同一の符号を付して説明を省略する。
【００６３】
図８は、照明システム１０Ｂを示す概略図である。
【００６４】
照明システム１０Ｂは、図８に示すように、天井７に固定された一対のライティングダクト２０と、フィードインボックス３０Ａと、ライティングダクト２０に着脱可能に取り付けられる人感センサ４０と、ライティングダクト２０に着脱可能に取り付けられる照明装置５０と、両ライティングダクト２０を連結可能に構成されたジョインタ６０と、を有している。
【００６５】
一方のライティングダクト２０は、フィードインボックス３０Ａに接続されている。人感センサ４０は、一方のライティングダクト２０に取付部４２により取り付けられ、かつ、導体２２に電気的に接続されている。
【００６６】
人感センサ４０は、フィードインボックス３０Ａが設けられる一方のライティングダクト２０に、取付部４２により取り付けられ、かつ、導体２２に電気的に接続されている。本実施形態の人感センサ４０は、人３を検知すると、ジョインタ６０の開閉部６３を開状態とする信号を発信可能に構成されている。照明装置５０は、他方のライティングダクト２０に、取付部４２により取り付けられ、かつ、導体２２に電気的に接続されている。
【００６７】
ジョインタ６０は、筐体６１と、一対の電力線６２と、開閉部６３と、リモコン受信部６４と、制御部６５、電源充電部６６と、を有している。
【００６８】
一方の電力線６２は、一方のライティングダクト２０の一方の導体２２と、他方のライティングダクト２０の一方の導体２２と、に電気的に接続されている。他方の電力線６２は、一方のライティングダクト２０の他方の導体２２と、他方のライティングダクト２０の他方の導体２２と、に電気的に接続されている。
【００６９】
開閉部６３は、本実施形態では、一方の電力線６２に設けられている。開閉部６３は、開状態と閉状態とを有している。開状態は、一方のライティングダクト２０の一方の導体２２と他方のライティングダクト２０の一方の導体２２とを電気的に接続する状態である。閉状態とは、一方のライティングダクト２０の一方の導体２２と他方のライティングダクト２０の一方の導体２２との電気的接続を遮断する状態である。
【００７０】
電源充電部６６は、両電力線６２に電気的に接続されており、開閉部６３が閉状態であるときに電力が供給される。電源充電部６６は、電力線６２から電力の供給を受けている状態では、充電可能である。電源充電部６６は、開閉部６３が開状態であると、両電力線６２との電気的接続が遮断されることにより、電力が供給されない。電源充電部６６は、制御部６５に電力を供給可能に構成されている。電源充電部６６は、例えば二次電池である。
【００７１】
制御部６５は、電源充電部６６に電気的に接続されており、電源充電部６６から給電されることにより、駆動可能となる。制御部６５は、リモコン受信部６４に電気的に接続されており、リモコン受信部６４の受信結果に基づいて、開閉部６３を駆動する。具体的には、制御部６５は、リモコン受信部６４が、開閉部６３を閉状態とする信号を受信すると、開閉部６３を閉状態とする。また、制御部６５は、リモコン受信部６４が、開閉部６３を開状態とする信号を受信すると、開閉部６３を開状態とする。
【００７２】
リモコン受信部６４は、人感センサ４０のリモコン発信部４５から発信される電波を受信可能に形成されている。リモコン受信部６４は、図１に示すように、例えばジョインタ６０の筐体６１から外側に露出している。
【００７３】
また、リモコン受信部６４は、図示しないリモコンから送信される電波を受信可能に構成されている。このリモコンは、人により操作される。リモコンは、開閉部６３を閉状態とする信号、及び、開閉部６３を開状態とする信号を送信可能である。リモコン受信部６４は、これら、開閉部６３を閉状態とする信号、及び、開閉部６３を開状態とする信号を受信可能に形成されている。これら信号は、例えば電波であり、例えば、赤外線である。
【００７４】
本実施形態では、ジョインタ６０が、第１の実施形態のフィードインボックス３０と同様に作用する。すなわち、人感センサ４０が人を検知してリモコン発信部４５から、開閉部６３を閉状態とする信号を送信すると、ジョインタ６０のリモコン受信部６４がこの信号を受信し、制御部６５が開閉部６３を閉状態とする。
【００７５】
開閉部６３が閉状態となることにより、照明装置５０に導体２２を介して電力が供給されるようになるので、照明装置５０が光を照射するようになる。さらに、ジョインタ６０の電源充電部６６にも導体２２から電力が供給されるようになるので、電源充電部６６が充電を開始する。
【００７６】
本実施形態においても、第１の実施形態と同様に、人によりリモコンが操作され、リモコンから、開閉部６３を閉状態とする信号が送信されると、リモコン受信部６４がこの信号を受信し、制御部６５が開閉部６３を開状態とする。開閉部６３が開状態となることにより、照明装置５０が照射を停止する。さらに、電源充電部６６が充電を停止する。
【００７７】
このように、本実施形態の照明システム１０Ｂは、第１の実施形態と同様の効果が得られる。さらに、人感センサ４０が、常に電流が流れるライティングダクト２０に取り付けられるので、第２の実施形態の人感センサ４０のように、充電機能が不要となる。この為、第２の実施形態と同様の効果が得られる。
【００７８】
なお、本実施形態においても、ジョインタ６０の開閉部６３を開状態とすることは、第１の実施形態のように、タイマ機能により、自動的になされてもよい。
【００７９】
また、本実施形態では、人感センサ４０とジョインタ６０とは別々に構成されたが、例えば、人感センサ４０とジョインタ６０とは一体に構成されてもよい。
【００８０】
図９は、人感センサ４０とジョインタ６０とが一体に構成された変形例を示している。図９は、具体的には、照明システム１０Ｃを示す概略図である。照明システム１０Ｃは、照明システム１０Ｂに対して、ジョインタ６０に換えてジョインタ６０Ａが用いられる点、及び、人感センサ４０が用いられない点が、異なる。
【００８１】
ジョインタ６０Ａは、ジョインタ６０の構成に加えて、さらに、赤外線検知部４４を有している。制御部６５は、赤外線検知部４４の検知結果に基づいて、開閉部６３を閉状態とする。また、制御部６５は、リモコン受信部６４がリモコンから、開閉部６３を開状態とする信号を受信すると、開閉部６３を開状態にする。
【００８２】
赤外線検知部４４は、電源充電部６６に電気的に接続されており、電源充電部６６から供給される電力により駆動する。
【００８３】
また、他の例では、ジョインタ６０Ａの電源充電部６６は、導体２２において開閉部６３の開閉によらずに常に電力が供給される部分に電気的に接続されてもよい。この為、電源充電部６６は、常に電力が供給されるようになる。電源充電部６６に常に電力が供給されるようになるので、電源充電部６６に変えて、第１の実施形態で説明された、充電機能を有していない電源ユニット３３が用いられてもよい。
【００８４】
なお、第１乃至第３の実施形態では、開閉部３４と開閉部６３とは、例えば、スイッチ、リレー、半導体、または、トライアックが用いられる。なお、開閉部３４と開閉部６３は、これらに限定されるものではない。開閉部３４と開閉部６３とは、要するに、導通状態と、電気的に遮断する状態とを切換可能な機能を有すればよい。また、第１乃至第３の実施形態では、人感センサ４０は、人３が照射する赤外線を検知することにより、人を検知している。他の例では、例えば、人３の体温を検知することにより、人を検知するようにしてもよい。この場合、人を検知する手段としては、赤外線検知部４４に換えて、人３の温度を検知する温度検知部が用いられる。または、人を検知する手段として、映像を用いてもよい。具体的には、人を検知する検知部としてカメラが用いられてもよい。カメラにより撮影された映像により、人を検知するようにしてもよい。このように、人を検知する検知部としては、人が照射する赤外線、人の温度、人の映像などを利用することができる。
【００８５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８６】
１０…照明システム、１０Ａ…照明システム、１０Ｂ…照明システム、２０…ライティングダクト、３０…フィードインボックス３０、４０…人感センサ、４２…取付部、４２ｃ…端子、４３…電源充電部、４４…赤外線検知部、４５…リモコン発信部、５０…照明装置。
【図１】
2018120752.tif 000003
【図２】
2018120752.tif 000004
【図３】
2018120752.tif 000005
【図４】
2018120752.tif 000006
【図５】
2018120752.tif 000007
【図６】
2018120752.tif 000008
【図７】
2018120752.tif 000009
【図８】
2018120752.tif 000010
【図９】
2018120752.tif 000011